【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報と遊技機で遊技を行う際に使用される遊技用価値の大きさを特定可能な情報が記録された遊技用記録媒体の発行に供される発行金額情報とを遊技場外に設置されている決済処理機関に送信するとともに、該決済処理機関からの返信情報を受信する情報送受信手段と、
前記情報送受信手段が受信した返信情報が遊技用記録媒体の発行に供される発行金額の決済が可能であることを示す情報である場合において、該発行金額に対応する大きさの前記遊技用価値を特定可能な情報が記録された遊技用記録媒体を発行するための遊技用記録媒体発行手段と、
を備える遊技用システムにおいて、
前記発行金額と利用日時の情報を少なくとも含む前記口座特定用記録媒体毎の利用履歴を記憶、管理するための利用履歴管理手段と、
所定期間において前記口座特定用記録媒体を用いて発行された遊技用記録媒体の発行金額の合計金額を、前記利用履歴管理手段により管理される利用履歴に基づいて算出するとともに、該合計金額が予め定められた所定期間における利用限度額に達しているか否かを判定し、利用限度額に達している場合において当該口座特定用記録媒体を用いた前記遊技用記録媒体発行手段からの遊技用記録媒体の発行を許容しない利用限度額判定手段と、
を備え、
前記遊技用記録媒体発行手段は、該利用限度額判定手段により遊技用記録媒体の発行が許容されたことに基づいて、前記遊技用記録媒体の発行を行うことを特徴とする遊技用システム。
【請求項２】  遊技機で遊技を行う際に使用される遊技用価値の大きさを特定可能な情報が記録された遊技用記録媒体を受付け、該受付けた遊技用記録媒体の記録情報を少なくとも読み取る遊技用記録媒体読み取り手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報と前記遊技用価値の大きさの加算に供される加算要求金額情報とを遊技場外に設置されている決済処理機関に送信するとともに、該決済処理機関からの返信情報を受信する情報送受信手段と、
前記情報送受信手段が受信した返信情報が前記遊技用価値の加算に供される加算要求金額の決済が可能であることを示す情報である場合において、前記加算要求金額に対応する遊技用価値の大きさを前記遊技用記録媒体読み取り手段にて遊技用記録媒体から読み取った記録情報から特定される遊技用価値の大きさに加算して、前記遊技用記録媒体の記録情報より該加算後の新たな大きさの遊技用価値を特定可能とするための価値加算処理を行う価値加算処理手段と、
を備える遊技用システムにおいて、
前記価値加算処理に供された加算金額と利用日時の情報を少なくとも含む前記口座特定用記録媒体毎の利用履歴を記憶、管理するための利用履歴管理手段と、
所定期間において前記口座特定用記録媒体を用いて前記価値加算処理に供された加算金額の合計金額を、前記利用履歴管理手段により管理される利用履歴に基づいて算出するとともに、該合計金額が予め定められた所定期間における利用限度額に達しているか否かを判定し、利用限度額に達している場合において当該口座特定用記録媒体を用いた前記価値加算処理手段における価値加算処理を許容しない利用限度額判定手段と、
を備え、
前記価値加算処理手段は、該利用限度額判定手段により価値加算処理が許容されたことに基づいて、前記価値加算処理を行うことを特徴とする遊技用システム。
【請求項３】  遊技機で遊技を行う際に使用される遊技用価値の大きさを特定可能な情報が記録された遊技用記録媒体を受付け、該受付けた遊技用記録媒体の記録情報を少なくとも読み取る遊技用記録媒体読み取り手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報と、前記遊技用記録媒体の発行に供される発行金額情報或いは前記遊技用価値の大きさの加算に供される加算要求金額情報を、遊技場外に設置されている決済処理機関に送信するとともに、該決済処理機関からの返信情報を受信する情報送受信手段と、
前記情報送受信手段が受信した返信情報が前記遊技用価値の加算に供される加算要求金額の決済が可能であることを示す情報である場合において、前記加算要求金額に対応する遊技用価値の大きさを前記遊技用記録媒体読み取り手段にて遊技用記録媒体から読み取った記録情報から特定される遊技用価値の大きさに加算して、前記遊技用記録媒体の記録情報より該加算後の新たな大きさの遊技用価値を特定可能とするための価値加算処理を行う価値加算処理手段と、
前記情報送受信手段が受信した返信情報が遊技用記録媒体の発行に供される発行金額の決済が可能であることを示す情報である場合において、該発行金額に対応する大きさの前記遊技用価値を特定可能な情報が記録された遊技用記録媒体を発行するための遊技用記録媒体発行手段と、
を備える遊技用システムにおいて、
前記発行金額と利用日時の情報並びに前記価値加算処理に供された加算金額と利用日時の情報を少なくとも含む前記口座特定用記録媒体毎の利用履歴を記憶、管理するための利用履歴管理手段と、
所定期間において前記口座特定用記録媒体を用いて発行された遊技用記録媒体の発行金額並びに前記口座特定用記録媒体を用いて前記価値加算処理に供された加算金額の合計金額を、前記利用履歴管理手段により管理される利用履歴に基づいて算出するとともに、該合計金額が予め定められた所定期間における利用限度額に達しているか否かを判定し、利用限度額に達している場合において当該口座特定用記録媒体を用いた前記遊技用記録媒体発行手段からの遊技用記録媒体の発行及び前記価値加算処理手段における価値加算処理を許容しない利用限度額判定手段と、
を備え、
前記遊技用記録媒体発行手段は、該利用限度額判定手段により遊技用記録媒体の発行が許容されたことに基づいて、前記遊技用記録媒体の発行を行い、
前記価値加算処理手段は、該利用限度額判定手段により価値加算処理が許容されたことに基づいて、前記価値加算処理を行うことを特徴とする遊技用システム。
【請求項４】  前記所定期間における利用限度額を設定するための利用限度額設定手段を備える請求項１〜３のいずれかに記載の遊技用システム。
【請求項５】  前記所定期間が１日とされている請求項１〜４のいずれかに記載の遊技用システム。
【請求項６】  前記所定期間における利用限度額に前記合計金額が達して利用不可とされた口座特定用記録媒体の利用不可期間を設定するための利用不可期間設定手段を備える請求項１〜５のいずれかに記載の遊技用システム。
【請求項７】  前記遊技用記録媒体発行手段により前記遊技用記録媒体が発行されるときまたは前記価値加算処理手段により価値加算処理が行われるときに、今回の発行金額または今回の加算金額を前記算出された所定期間における発行金額または加算金額の合計金額に加算した新たな合計金額を算出し、該算出した新たな合計金額を前記利用限度額から差し引いた利用可能残額を算出する利用可能残額算出手段と、
該利用可能残額算出手段により算出された利用可能残額を表示するための表示手段と、
を備える請求項１〜６のいずれかに記載の遊技用システム。
【手続補正２】
【補正対象書類名】明細書
【補正対象項目名】０００６
【補正方法】変更
【補正の内容】
【０００６】
【課題を解決するための手段】
前記した問題を解決するために、本発明の遊技用システムは、利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報と遊技機で遊技を行う際に使用される遊技用価値の大きさを特定可能な情報が記録された遊技用記録媒体の発行に供される発行金額情報とを遊技場外に設置されている決済処理機関に送信するとともに、該決済処理機関からの返信情報を受信する情報送受信手段と、
前記情報送受信手段が受信した返信情報が遊技用記録媒体の発行に供される発行金額の決済が可能であることを示す情報である場合において、該発行金額に対応する大きさの前記遊技用価値を特定可能な情報が記録された遊技用記録媒体を発行するための遊技用記録媒体発行手段と、
を備える遊技用システムにおいて、
前記発行金額と利用日時の情報を少なくとも含む前記口座特定用記録媒体毎の利用履歴を記憶、管理するための利用履歴管理手段と、
所定期間において前記口座特定用記録媒体を用いて発行された遊技用記録媒体の発行金額の合計金額を、前記利用履歴管理手段により管理される利用履歴に基づいて算出するとともに、該合計金額が予め定められた所定期間における利用限度額に達しているか否かを判定し、利用限度額に達している場合において当該口座特定用記録媒体を用いた前記遊技用記録媒体発行手段からの遊技用記録媒体の発行を許容しない利用限度額判定手段と、
を備え、
前記遊技用記録媒体発行手段は、該利用限度額判定手段により遊技用記録媒体の発行が許容されたことに基づいて、前記遊技用記録媒体の発行を行うことを特徴としている。
この特徴によれば、遊技者は、前記所定期間において利用限度額を越えた場合には遊技用記録媒体の発行を受けることができないようになるため、遊技に過度に没頭してしまった遊技者が、遊技用記録媒体の発行に対して過度の金額を使用してしまうことを抑止できる。
【手続補正３】
【補正対象書類名】明細書
【補正対象項目名】０００７
【補正方法】変更
【補正の内容】
【０００７】
本発明の遊技用システムは、遊技機で遊技を行う際に使用される遊技用価値の大きさを特定可能な情報が記録された遊技用記録媒体を受付け、該受付けた遊技用記録媒体の記録情報を少なくとも読み取る遊技用記録媒体読み取り手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報と前記遊技用価値の大きさの加算に供される加算要求金額情報とを遊技場外に設置されている決済処理機関に送信するとともに、該決済処理機関からの返信情報を受信する情報送受信手段と、
前記情報送受信手段が受信した返信情報が前記遊技用価値の加算に供される加算要求金額の決済が可能であることを示す情報である場合において、前記加算要求金額に対応する遊技用価値の大きさを前記遊技用記録媒体読み取り手段にて遊技用記録媒体から読み取った記録情報から特定される遊技用価値の大きさに加算して、前記遊技用記録媒体の記録情報より該加算後の新たな大きさの遊技用価値を特定可能とするための価値加算処理を行う価値加算処理手段と、
を備える遊技用システムにおいて、
前記価値加算処理に供された加算金額と利用日時の情報を少なくとも含む前記口座特定用記録媒体毎の利用履歴を記憶、管理するための利用履歴管理手段と、
所定期間において前記口座特定用記録媒体を用いて前記価値加算処理に供された加算金額の合計金額を、前記利用履歴管理手段により管理される利用履歴に基づいて算出するとともに、該合計金額が予め定められた所定期間における利用限度額に達しているか否かを判定し、利用限度額に達している場合において当該口座特定用記録媒体を用いた前記価値加算処理手段における価値加算処理を許容しない利用限度額判定手段と、
を備え、
前記価値加算処理手段は、該利用限度額判定手段により価値加算処理が許容されたことに基づいて、前記価値加算処理を行うことを特徴としている。
この特徴によれば、遊技者は、前記所定期間において利用限度額を越えた場合には価値加算処理を受けることができないようになるため、遊技に過度に没頭してしまった遊技者が、価値加算に対して過度の金額を使用してしまうことを抑止できる。
【手続補正４】
【補正対象書類名】明細書
【補正対象項目名】０００８
【補正方法】変更
【補正の内容】
【０００８】
本発明の遊技用システムは、遊技機で遊技を行う際に使用される遊技用価値の大きさを特定可能な情報が記録された遊技用記録媒体を受付け、該受付けた遊技用記録媒体の記録情報を少なくとも読み取る遊技用記録媒体読み取り手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報と、前記遊技用記録媒体の発行に供される発行金額情報或いは前記遊技用価値の大きさの加算に供される加算要求金額情報を、遊技場外に設置されている決済処理機関に送信するとともに、該決済処理機関からの返信情報を受信する情報送受信手段と、
前記情報送受信手段が受信した返信情報が前記遊技用価値の加算に供される加算要求金額の決済が可能であることを示す情報である場合において、前記加算要求金額に対応する遊技用価値の大きさを前記遊技用記録媒体読み取り手段にて遊技用記録媒体から読み取った記録情報から特定される遊技用価値の大きさに加算して、前記遊技用記録媒体の記録情報より該加算後の新たな大きさの遊技用価値を特定可能とするための価値加算処理を行う価値加算処理手段と、
前記情報送受信手段が受信した返信情報が遊技用記録媒体の発行に供される発行金額の決済が可能であることを示す情報である場合において、該発行金額に対応する大きさの前記遊技用価値を特定可能な情報が記録された遊技用記録媒体を発行するための遊技用記録媒体発行手段と、
を備える遊技用システムにおいて、
前記発行金額と利用日時の情報並びに前記価値加算処理に供された加算金額と利用日時の情報を少なくとも含む前記口座特定用記録媒体毎の利用履歴を記憶、管理するための利用履歴管理手段と、
所定期間において前記口座特定用記録媒体を用いて発行された遊技用記録媒体の発行金額並びに前記口座特定用記録媒体を用いて前記価値加算処理に供された加算金額の合計金額を、前記利用履歴管理手段により管理される利用履歴に基づいて算出するとともに、該合計金額が予め定められた所定期間における利用限度額に達しているか否かを判定し、利用限度額に達している場合において当該口座特定用記録媒体を用いた前記遊技用記録媒体発行手段からの遊技用記録媒体の発行及び前記価値加算処理手段における価値加算処理を許容しない利用限度額判定手段と、
を備え、
前記遊技用記録媒体発行手段は、該利用限度額判定手段により遊技用記録媒体の発行が許容されたことに基づいて、前記遊技用記録媒体の発行を行い、
前記価値加算処理手段は、該利用限度額判定手段により価値加算処理が許容されたことに基づいて、前記価値加算処理を行うことを特徴としている。
この特徴によれば、遊技者は、前記所定期間において利用限度額を越えた場合には遊技用記録媒体の発行或いは価値加算処理を受けることができないようになるため、遊技に過度に没頭してしまった遊技者が、遊技用記録媒体の発行或いは価値加算に対して過度の金額を使用してしまうことを抑止できる。
【手続補正５】
【補正対象書類名】明細書
【補正対象項目名】００１２
【補正方法】変更
【補正の内容】
【００１２】
本発明の遊技用システムは、前記遊技用記録媒体発行手段により前記遊技用記録媒体が発行されるときまたは前記価値加算処理手段により価値加算処理が行われるときに、今回の発行金額または今回の加算金額を前記算出された所定期間における発行金額または加算金額の合計金額に加算した新たな合計金額を算出し、該算出した新たな合計金額を前記利用限度額から差し引いた利用可能残額を算出する利用可能残額算出手段と、
該利用可能残額算出手段により算出された利用可能残額を表示するための表示手段と、
を備えることが好ましい。
このようにすれば、遊技者は、自分の利用可能残額を逐次確認することができる。
【手続補正６】
【補正対象書類名】明細書
【補正対象項目名】０１７２
【補正方法】変更
【補正の内容】
【０１７２】
【発明の効果】
本発明は次の効果を奏する。
（ａ）請求項１の発明によれば、遊技者は、前記所定期間において利用限度額を越えた場合には遊技用記録媒体の発行を受けることができないようになるため、遊技に過度に没頭してしまった遊技者が、遊技用記録媒体の発行に対して過度の金額を使用してしまうことを抑止できる。
【手続補正７】
【補正対象書類名】明細書
【補正対象項目名】０１７３
【補正方法】変更
【補正の内容】
【０１７３】
（ｂ）請求項２の発明によれば、遊技者は、前記所定期間において利用限度額を越えた場合には価値加算処理を受けることができないようになるため、遊技に過度に没頭してしまった遊技者が、価値加算に対して過度の金額を使用してしまうことを抑止できる。
【手続補正８】
【補正対象書類名】明細書
【補正対象項目名】０１７４
【補正方法】変更
【補正の内容】
【０１７４】
（ｃ）請求項３の発明によれば、遊技者は前記所定期間において利用限度額を越えた場合には遊技用記録媒体の発行或いは価値加算処理を受けることができないようになるため、遊技に過度に没頭してしまった遊技者が、遊技用記録媒体の発行或いは価値加算に対して過度の金額を使用してしまうことを抑止できる。